【手続補正書】
【提出日】令和1年8月7日(2019.8.7)
【手続補正１】
【補正対象書類名】特許請求の範囲
【補正対象項目名】全文
【補正方法】変更
【補正の内容】
【特許請求の範囲】
【請求項１】
符号化ビデオデータを処理するための方法であって、
符号化ビデオデータに関連するファイルを受信するステップであって、前記符号化ビデオデータが、ファイルフォーマットに従って前記ファイルの中に記憶され、前記符号化ビデオデータが、2つ以上のレイヤを含み、前記2つ以上のレイヤが、前記ファイルの中の2つ以上のトラックの中に記憶される、ステップと、
前記2つ以上のレイヤの中から第1のレイヤを決定するステップであって、前記第1のレイヤが、第1のビットストリーム終了インジケータを含み、前記第1のレイヤが、前記2つ以上のレイヤのうちの、ビットストリーム終了インジケータを含む最上位レイヤであると決定される、ステップと、
前記2つ以上のレイヤの中からレイヤのセットを識別するステップであって、レイヤの前記セットが、再構成ビットストリームの中に含めるために選択された1つまたは複数のレイヤを含む、ステップと、
前記再構成ビットストリームを生成するステップであって、前記再構成ビットストリームを生成するステップが、複数のアクセスユニットを生成するステップを含み、前記複数のアクセスユニットが、レイヤの前記セットからの1つまたは複数のサンプルを含み、前記再構成ビットストリームの中の最終アクセスユニットが、前記第1のビットストリーム終了インジケータを含む、ステップと
を備える方法。
【請求項２】
前記複数のアクセスユニットの生成の間に、前記再構成ビットストリームの中の前記最終アクセスユニットがビットストリーム終了インジケータを含まないと決定するステップと、
前記第1のビットストリーム終了インジケータを前記再構成ビットストリームの中の前記最終アクセスユニットに追加するステップと
をさらに備える、請求項1に記載の方法。
【請求項３】
レイヤの前記セットの中から第2のレイヤを識別するステップであって、前記第2のレイヤが、レイヤの前記セットの中から最上位レイヤとして識別され、前記第2のレイヤが、前記第1のレイヤとは異なり、レイヤの前記セットが、前記第1のレイヤを含まない、ステップと、
前記第1のレイヤが前記第2のレイヤよりも上位のレイヤであると決定するステップと、
前記第1のレイヤが前記第2のレイヤよりも上位のレイヤであることに基づいて、前記第1のビットストリーム終了インジケータを前記再構成ビットストリームの中の前記最終アクセスユニットに追加するステップと
をさらに備える、請求項1に記載の方法。
【請求項４】
レイヤの前記セットの中から第2のレイヤを識別するステップであって、前記第2のレイヤが、レイヤの前記セットの中から最上位レイヤとして識別され、前記第2のレイヤが、前記第1のレイヤとは異なり、レイヤの前記セットが、前記第1のレイヤを含む、ステップと、
前記第2のレイヤが前記第1のレイヤよりも上位のレイヤであると決定するステップと、
前記第2のレイヤが前記第1のレイヤよりも上位のレイヤであることに基づいて、前記第1のビットストリーム終了インジケータを前記再構成ビットストリームの中の前記最終アクセスユニットに移動させるステップと
をさらに備える、請求項1に記載の方法。
【請求項５】
前記再構成ビットストリームの中の前記最終アクセスユニットが2つ以上のビットストリーム終了インジケータを含むと決定するステップであって、前記2つ以上のビットストリーム終了インジケータが、前記第1のビットストリーム終了インジケータを含む、ステップと、
前記第1のビットストリーム終了インジケータ以外の各ビットストリーム終了インジケータを前記最終アクセスユニットから除去するステップと
をさらに備える、請求項1に記載の方法。
【請求項６】
前記2つ以上のレイヤの中から少なくとも2つのレイヤが各々、ビットストリーム終了インジケータを含む、請求項1に記載の方法。
【請求項７】
レイヤの前記セットが、レイヤの前記セットの中のレイヤからの前記サンプルが表示用に選択されることに基づいて選択されることを識別するステップ
をさらに備える、請求項1に記載の方法。
【請求項８】
前記ファイルフォーマットが、国際標準化機構(ISO)ベースメディアファイルフォーマットから導出される、請求項1に記載の方法。
【請求項９】
符号化ビデオを処理するための装置であって、
ファイルを記憶するように構成されたメモリであって、前記ファイルが、符号化ビデオデータを含み、前記符号化ビデオデータが、ファイルフォーマットに従って前記ファイルの中に記憶され、前記符号化ビデオデータが、2つ以上のレイヤを含み、前記2つ以上のレイヤが、前記ファイルの中の2つ以上のトラックの中に記憶される、メモリと、
プロセッサとを備え、前記プロセッサが、
前記2つ以上のレイヤの中から第1のレイヤを決定することであって、前記第1のレイヤが、第1のビットストリーム終了インジケータを含み、前記第1のレイヤが、前記2つ以上のレイヤのうちの、ビットストリーム終了インジケータを含む最上位レイヤであると決定される、決定することと、
前記2つ以上のレイヤの中からレイヤのセットを識別することであって、レイヤの前記セットが、再構成ビットストリームの中に含めるために選択された1つまたは複数のレイヤを含む、決定することと、
前記再構成ビットストリームの生成の間に、複数のアクセスユニットを生成することであって、前記複数のアクセスユニットが、レイヤの前記セットからの1つまたは複数のサンプルを含み、前記再構成ビットストリームの中の最終アクセスユニットが、前記第1のビットストリーム終了インジケータを含む、生成することと
を行うように構成される、装置。
【請求項１０】
前記プロセッサが、
前記複数のアクセスユニットの生成の間に、前記再構成ビットストリームの中の前記最終アクセスユニットがビットストリーム終了インジケータを含まないと決定することと、
前記第1のビットストリーム終了インジケータを前記再構成ビットストリームの中の前記最終アクセスユニットに追加することと
を行うようにさらに構成される、請求項9に記載の装置。
【請求項１１】
前記プロセッサが、
レイヤの前記セットの中から第2のレイヤを識別することであって、前記第2のレイヤが、レイヤの前記セットの中から最上位レイヤとして識別され、前記第2のレイヤが、前記第1のレイヤとは異なり、レイヤの前記セットが、前記第1のレイヤを含まない、識別することと、
前記第1のレイヤが前記第2のレイヤよりも上位のレイヤであると決定することと、
前記第1のレイヤが前記第2のレイヤよりも上位のレイヤであることに基づいて、前記第1のビットストリーム終了インジケータを前記再構成ビットストリームの中の前記最終アクセスユニットに追加することと
を行うようにさらに構成される、請求項9に記載の装置。
【請求項１２】
前記プロセッサが、
レイヤの前記セットの中から第2のレイヤを識別することであって、前記第2のレイヤが、レイヤの前記セットの中から最上位レイヤとして識別され、前記第2のレイヤが、前記第1のレイヤとは異なり、レイヤの前記セットが、前記第1のレイヤを含む、識別することと、
前記第2のレイヤが前記第1のレイヤよりも上位のレイヤであると決定することと、
前記第2のレイヤが前記第1のレイヤよりも上位のレイヤであることに基づいて、前記第1のビットストリーム終了インジケータを前記再構成ビットストリームの中の前記最終アクセスユニットに移動させることと
を行うようにさらに構成される、請求項9に記載の装置。
【請求項１３】
前記プロセッサが、
前記再構成ビットストリームの中の前記最終アクセスユニットが2つ以上のビットストリーム終了インジケータを含むと決定することであって、前記2つ以上のビットストリーム終了インジケータが、前記第1のビットストリーム終了インジケータを含む、決定することと、
前記第1のビットストリーム終了インジケータ以外の各ビットストリーム終了インジケータを前記最終アクセスユニットから除去することと
を行うようにさらに構成される、請求項9に記載の装置。
【請求項１４】
前記2つ以上のレイヤの中から少なくとも2つのレイヤが各々、ビットストリーム終了インジケータを含む、請求項9に記載の装置。
【請求項１５】
レイヤの前記セットが、レイヤの前記セットの中のレイヤからの前記サンプルが表示用に選択されることに基づいて選択される、請求項9に記載の装置。
【請求項１６】
前記ファイルフォーマットが、ISOベースメディアファイルフォーマットから導出される、請求項9に記載の装置。
【請求項１７】
命令を記憶したコンピュータ可読記憶媒体であって、前記命令が、1つまたは複数のプロセッサによって実行されたとき、前記1つまたは複数のプロセッサに、
符号化ビデオデータに関連するファイルを受信することであって、前記符号化ビデオデータが、ファイルフォーマットに従って前記ファイルの中に記憶され、前記符号化ビデオデータが、2つ以上のレイヤを含み、前記2つ以上のレイヤが、前記ファイルの中の2つ以上のトラックの中に記憶される、受信することと、
前記2つ以上のレイヤの中から第1のレイヤを決定することであって、前記第1のレイヤが、第1のビットストリーム終了インジケータを含み、前記第1のレイヤが、前記2つ以上のレイヤのうちの、ビットストリーム終了インジケータを含む最上位レイヤであると決定される、決定することと、
前記2つ以上のレイヤの中からレイヤのセットを識別することであって、レイヤの前記セットが、再構成ビットストリームの中に含めるために選択された1つまたは複数のレイヤを含む、識別することと、
前記再構成ビットストリームの生成の間に、複数のアクセスユニットを生成することであって、前記複数のアクセスユニットが、レイヤの前記セットからの1つまたは複数のサンプルを含み、前記再構成ビットストリームの中の最終アクセスユニットが、前記第1のビットストリーム終了インジケータを含む、生成することと
を行わせる、コンピュータ可読記憶媒体。
【請求項１８】
前記1つまたは複数のプロセッサによって実行されたとき、前記1つまたは複数のプロセッサに、
前記複数のアクセスユニットの生成の間に、前記再構成ビットストリームの中の前記最終アクセスユニットがビットストリーム終了インジケータを含まないと決定することと、
前記第1のビットストリーム終了インジケータを前記再構成ビットストリームの中の前記最終アクセスユニットに追加することと
を行わせる命令をさらに備える、請求項17に記載のコンピュータ可読記憶媒体。
【請求項１９】
前記1つまたは複数のプロセッサによって実行されたとき、前記1つまたは複数のプロセッサに、
レイヤの前記セットの中から第2のレイヤを識別することであって、前記第2のレイヤが、レイヤの前記セットの中から最上位レイヤとして識別され、前記第2のレイヤが、前記第1のレイヤとは異なり、レイヤの前記セットが、前記第1のレイヤを含まない、識別することと、
前記第1のレイヤが前記第2のレイヤよりも上位のレイヤであると決定することと、
前記第1のレイヤが前記第2のレイヤよりも上位のレイヤであることに基づいて、前記第1のビットストリーム終了インジケータを前記再構成ビットストリームの中の前記最終アクセスユニットに追加することと
を行わせる命令をさらに備える、請求項17に記載のコンピュータ可読記憶媒体。
【請求項２０】
前記1つまたは複数のプロセッサによって実行されたとき、前記1つまたは複数のプロセッサに、
レイヤの前記セットの中から第2のレイヤを識別することであって、前記第2のレイヤが、レイヤの前記セットの中から最上位レイヤとして識別され、前記第2のレイヤが、前記第1のレイヤとは異なり、レイヤの前記セットが、前記第1のレイヤを含む、識別することと、
前記第2のレイヤが前記第1のレイヤよりも上位のレイヤであると決定することと、
前記第2のレイヤが前記第1のレイヤよりも上位のレイヤであることに基づいて、前記第1のビットストリーム終了インジケータを前記再構成ビットストリームの中の前記最終アクセスユニットに移動させることと
を行わせる命令をさらに備える、請求項17に記載のコンピュータ可読記憶媒体。
【請求項２１】
前記1つまたは複数のプロセッサによって実行されたとき、前記1つまたは複数のプロセッサに、
前記再構成ビットストリームの中の前記最終アクセスユニットが2つ以上のビットストリーム終了インジケータを含むと決定することであって、前記2つ以上のビットストリーム終了インジケータが、前記第1のビットストリーム終了インジケータを含む、決定することと、
前記第1のビットストリーム終了インジケータ以外の各ビットストリーム終了インジケータを前記最終アクセスユニットから除去することと
を行わせる命令をさらに備える、請求項17に記載のコンピュータ可読記憶媒体。
【請求項２２】
前記2つ以上のレイヤの中から少なくとも2つのレイヤが各々、ビットストリーム終了インジケータを含む、請求項17に記載のコンピュータ可読記憶媒体。
【請求項２３】
レイヤの前記セットが、レイヤの前記セットの中のレイヤからの前記サンプルが表示用に選択されることに基づいて選択される、請求項17に記載のコンピュータ可読記憶媒体。
【請求項２４】
前記ファイルフォーマットが、ISOベースメディアファイルフォーマットから導出される、請求項17に記載のコンピュータ可読記憶媒体。
【請求項２５】
符号化ビデオデータを処理するための装置であって、
符号化ビデオデータに関連するファイルを受信するための手段であって、前記符号化ビデオデータが、ファイルフォーマットに従って前記ファイルの中に記憶され、前記符号化ビデオデータが、2つ以上のレイヤを含み、前記2つ以上のレイヤが、前記ファイルの中の2つ以上のトラックの中に記憶される、手段と、
前記2つ以上のレイヤの中から第1のレイヤを決定するための手段であって、前記第1のレイヤが、第1のビットストリーム終了インジケータを含み、前記第1のレイヤが、前記2つ以上のレイヤのうちの、ビットストリーム終了インジケータを含む最上位レイヤであると決定される、手段と、
前記2つ以上のレイヤの中からレイヤのセットを識別するための手段であって、レイヤの前記セットが、再構成ビットストリームの中に含めるために選択された1つまたは複数のレイヤを含む、手段と、
再構成ビットストリームを生成するための手段であって、前記再構成ビットストリームを生成するための手段が、複数のアクセスユニットを生成するための手段を含み、前記複数のアクセスユニットが、レイヤの前記セットからの1つまたは複数のサンプルを含み、前記再構成ビットストリームの中の最終アクセスユニットが、前記第1のビットストリーム終了インジケータを含む、手段と
を備える装置。
【請求項２６】
前記複数のアクセスユニットの生成の間に、前記再構成ビットストリームの中の前記最終アクセスユニットがビットストリーム終了インジケータを含まないと決定するための手段と、
前記第1のビットストリーム終了インジケータを前記再構成ビットストリームの中の前記最終アクセスユニットに追加するための手段と
をさらに備える、請求項25に記載の装置。
【請求項２７】
レイヤの前記セットの中から第2のレイヤを識別するための手段であって、前記第2のレイヤが、レイヤの前記セットの中から最上位レイヤとして識別され、前記第2のレイヤが、前記第1のレイヤとは異なり、レイヤの前記セットが、前記第1のレイヤを含まない、手段と、
前記第1のレイヤが前記第2のレイヤよりも上位のレイヤであると決定するための手段と、
前記第1のレイヤが前記第2のレイヤよりも上位のレイヤであることに基づいて、前記第1のビットストリーム終了インジケータを前記再構成ビットストリームの中の前記最終アクセスユニットに追加するための手段と
をさらに備える、請求項25に記載の装置。
【請求項２８】
レイヤの前記セットの中から第2のレイヤを識別するための手段であって、前記第2のレイヤが、レイヤの前記セットの中から最上位レイヤとして識別され、前記第2のレイヤが、前記第1のレイヤとは異なり、レイヤの前記セットが、前記第1のレイヤを含む、手段と、
前記第2のレイヤが前記第1のレイヤよりも上位のレイヤであると決定するための手段と、
前記第2のレイヤが前記第1のレイヤよりも上位のレイヤであることに基づいて、前記第1のビットストリーム終了インジケータを前記再構成ビットストリームの中の前記最終アクセスユニットに移動させるための手段と
をさらに備える、請求項25に記載の装置。
【請求項２９】
前記再構成ビットストリームの中の前記最終アクセスユニットが2つ以上のビットストリーム終了インジケータを含むと決定するための手段であって、前記2つ以上のビットストリーム終了インジケータが、前記第1のビットストリーム終了インジケータを含む、手段と、
前記第1のビットストリーム終了インジケータ以外の各ビットストリーム終了インジケータを前記最終アクセスユニットから除去するための手段と
をさらに備える、請求項25に記載の装置。
【請求項３０】
前記2つ以上のレイヤの中から少なくとも2つのレイヤが各々、ビットストリーム終了インジケータを含む、請求項25に記載の装置。
【請求項３１】
レイヤの前記セットが、レイヤの前記セットの中のレイヤからの前記サンプルが表示用に選択されることに基づいて選択されることを識別するための手段
をさらに備える、請求項25に記載の装置。
【請求項３２】
前記ファイルフォーマットが、国際標準化機構(ISO)ベースメディアファイルフォーマットから導出される、請求項25に記載の装置。